(57)【要約】【課題】臭気漏洩防止と省エネルギー化とを図りつつ、汚泥を焼却炉若しくは熱分解炉などの汚泥処理炉内に圧送することができる汚泥混合投入方法および汚泥混合投入装置を提供すること。【解決手段】焼却炉１１で燃焼される脱水汚泥の一部を乾燥機によって乾燥させ、該乾燥させた乾燥汚泥Ｃ３を脱水汚泥Ｃ１に混合させて補助燃料を低減できる若しくは必要としない混合汚泥Ｃ４に変換して焼却炉１１に投入する混合投入装置３であって、乾燥汚泥Ｃ３の粒状状態を維持させて脱水汚泥Ｃ１に乾燥汚泥Ｃ３を分散混合して混合汚泥Ｃ４を生成する混合機５と、混合機５から排出される混合汚泥Ｃ４を密閉状態で焼却炉１１に圧送する圧送ポンプ６と、を備える。【選択図】図２
2013217553.tif 000002
【特許請求の範囲】
【請求項１】
焼却炉若しくは熱分解炉などの汚泥処理炉内で燃焼される脱水汚泥の一部を乾燥装置によって乾燥させ、該乾燥させた乾燥汚泥を前記脱水汚泥に混合させて補助燃料を低減できる若しくは必要としない混合汚泥に変換して前記汚泥処理炉に投入する汚泥混合投入方法であって、
前記乾燥汚泥の粒状状態を維持させて前記脱水汚泥に前記乾燥汚泥を分散混合して前記混合汚泥を生成する混合ステップと、
前記混合ステップによって生成された混合汚泥を密閉状態で前記汚泥処理炉に圧送する圧送ステップと、
を含むことを特徴とする汚泥混合投入方法。
【請求項２】
前記乾燥汚泥の平均粒径は、２〜５０ｍｍであることを特徴とする請求項１に記載の汚泥混合投入方法。
【請求項３】
焼却炉若しくは熱分解炉などの汚泥処理炉内で燃焼される脱水汚泥の一部を乾燥装置によって乾燥させ、該乾燥させた乾燥汚泥を前記脱水汚泥に混合させて補助燃料を低減できる若しくは必要としない混合汚泥に変換して前記汚泥処理炉に投入する汚泥混合投入装置であって、
前記乾燥汚泥の粒状状態を維持させて前記脱水汚泥に前記乾燥汚泥を分散混合して前記混合汚泥を生成する混合機と、
前記混合機から排出される混合汚泥を密閉状態で前記汚泥処理炉に圧送する圧送ポンプと、
を備えたことを特徴とする汚泥混合投入装置。
【請求項４】
前記乾燥汚泥の平均粒径は、２〜５０ｍｍであることを特徴とする請求項３記載の汚泥混合投入装置。
【請求項５】
前記圧送ポンプは、ねじポンプ若しくはピストンポンプであることを特徴とする請求項３または４に記載の汚泥混合投入装置。
【請求項６】
前記乾燥装置は、乾燥機と循環ブロワと乾燥機用熱交換器とが順次接続された循環路を形成し、前記汚泥処理炉を含む汚泥処理システム内の白煙防止空気熱交換器から一部の熱エネルギーを前記乾燥機用熱交換器に取り込み、該乾燥機用熱交換器が前記循環路内を流れる流体の温度を上昇させ、一部の前記脱水汚泥を前記乾燥機によって所望の含水率まで乾燥した前記乾燥汚泥を生成して前記混合機に送出することを特徴とする請求項３〜５のいずれか一つに記載の汚泥混合投入装置。
【請求項７】
前記乾燥装置は、乾燥機と循環ブロワと乾燥機用熱交換器とが順次接続された循環路を形成するとともに、熱風発生炉を設け、前記熱風発生炉の排ガス熱エネルギーを前記乾燥機用熱交換器に取り込み、あるいは前記循環路上に直接取り込み、循環路内を流れる流体の温度を上昇させ、一部の前記脱水汚泥を前記乾燥機によって所望の含水率まで乾燥した乾燥汚泥を生成して前記混合機に送出することを特徴とする請求項３〜５のいずれか一つに記載の汚泥混合投入装置。
【請求項８】
前記汚泥処理炉の廃ガス熱を利用した廃熱ボイラを設け、
前記乾燥装置は、乾燥機と循環ブロワとが順次接続された循環路を形成するとともに、前記廃熱ボイラの発生蒸気エネルギーを前記乾燥機のジャケット内に取り込み、前記発生蒸気エネルギーを用いて前記乾燥機内の前記脱水汚泥を攪拌しながら間接加熱させて所望の含水率まで乾燥した乾燥汚泥を生成して前記混合機に送出することを特徴とする請求項３〜５のいずれか一つに記載の汚泥混合投入装置。
【発明の詳細な説明】
【技術分野】
【０００１】
この発明は、焼却炉若しくは熱分解炉などの汚泥処理炉内で燃焼される脱水汚泥の一部を乾燥装置によって乾燥させ、該乾燥させた乾燥汚泥を前記脱水汚泥に混合させて補助燃料を低減できる若しくは必要としない混合汚泥に変換して前記汚泥処理炉に投入する汚泥混合投入方法および汚泥混合投入装置に関する。
【背景技術】
【０００２】
下水処理場などから発生する汚泥などを焼却する汚泥焼却炉は、ＣＯ２やＮ２Ｏなどの温室効果ガスの排出源となっていることから、温室効果ガスの低減によって環境負荷を低減することが要望されている。特に、Ｎ２０は、ＣＯ２の３１０倍の温室効果があるとされ、その削減が強く要望されている。一方、汚泥焼却炉の省エネルギー化を図る必要もあり、補助燃料使用量の低減が要望されている。
【０００３】
特許文献１には、脱水機装置の入口側で含水率を測定し、この測定結果をもとに脱水装置によって脱水される汚泥の含水率が自燃含水率となるように制御するものが記載されている。
【０００４】
一方、焼却炉に投入すべき汚泥は、脱水機によって脱水されるが、この脱水汚泥に対してさらに乾燥機を用いて乾燥処理するものがある。例えば、特許文献２には、乾燥機によって乾燥処理された汚泥を、一部を塊状の汚泥粒子の状態で、循環流動層炉内の流動媒体として循環させるとともに、乾燥しない残りの汚泥を循環流動層炉内に直接投入し、乾燥汚泥と乾燥していない汚泥とを同時に燃焼処理するものが記載されている。
【０００５】
また、特許文献３には、脱水汚泥を造粒乾燥機で水分１０％以下まで乾燥した乾燥汚泥粒に、乾燥前の水分７５％以上の脱水汚泥を混合し、流動床式焼却炉に投入する汚泥粒の水分を５０から７０％に調整するものが記載されている。これによれば、乾燥汚泥粒の水分を調整するための水が必要とならず、その費用が不要となる。
【先行技術文献】
【特許文献】
【０００６】
【特許文献１】特許第４１４２７８８号公報
【特許文献２】特開２００９−２０４２８２号公報
【特許文献３】特開平１１−３１６０１３号公報
【発明の概要】
【発明が解決しようとする課題】
【０００７】
ところで、焼却炉若しくは熱分解炉などに汚泥を搬送する場合、汚泥の臭気の漏洩防止のため、圧送ポンプを用いて焼却炉内に圧送することが好ましい。一方、焼却炉若しくは熱分解炉などに搬送すべき汚泥は、焼却炉内に投入すべき補助燃料を低減するため、例えば含水率が７７％程度の含水率であることが好ましい。しかし、この汚泥は、半流動性で粘度が高く、圧送ポンプを用いて汚泥を焼却炉若しくは熱分解炉内などに圧送する場合、配管圧力損失が大きくなり、圧送が困難になる場合や圧送にかかる消費エネルギーが大きくなるという問題点があった。
【０００８】
この発明は、上記に鑑みてなされたものであって、臭気漏洩防止と省エネルギー化とを図りつつ、汚泥を焼却炉若しくは熱分解炉などの汚泥処理炉内に圧送することができる汚泥混合投入方法および汚泥混合投入装置を提供することを目的とする。
【課題を解決するための手段】
【０００９】
上述した課題を解決し、目的を達成するために、この発明にかかる汚泥混合投入方法は、焼却炉若しくは熱分解炉などの汚泥処理炉内で燃焼される脱水汚泥の一部を乾燥装置によって乾燥させ、該乾燥させた乾燥汚泥を前記脱水汚泥に混合させて補助燃料を低減できる若しくは必要としない混合汚泥に変換して前記汚泥処理炉に投入する汚泥混合投入方法であって、前記乾燥汚泥の粒状状態を維持させて前記脱水汚泥に前記乾燥汚泥を分散混合して前記混合汚泥を生成する混合ステップと、前記混合ステップによって生成された混合汚泥を密閉状態で前記汚泥処理炉に圧送する圧送ステップと、を含むことを特徴とする。
【００１０】
また、この発明にかかる汚泥混合投入方法は、上記の発明において、前記乾燥汚泥の平均粒径は、２〜５０ｍｍであることを特徴とする。
【００１１】
また、この発明にかかる汚泥混合投入装置は、焼却炉若しくは熱分解炉などの汚泥処理炉内で燃焼される脱水汚泥の一部を乾燥装置によって乾燥させ、該乾燥させた乾燥汚泥を前記脱水汚泥に混合させて補助燃料を低減できる若しくは必要としない混合汚泥に変換して前記汚泥処理炉に投入する汚泥混合投入装置であって、前記乾燥汚泥の粒状状態を維持させて前記脱水汚泥に前記乾燥汚泥を分散混合して前記混合汚泥を生成する混合機と、前記混合機から排出される混合汚泥を密閉状態で前記汚泥処理炉に圧送する圧送ポンプと、を備えたことを特徴とする。
【００１２】
また、この発明にかかる汚泥混合投入装置は、上記の発明において、前記圧送ポンプは、ねじポンプ若しくはピストンポンプであることを特徴とする。
【００１３】
また、この発明にかかる汚泥混合投入装置は、上記の発明において、前記乾燥装置は、乾燥機と循環ブロワと乾燥機用熱交換器とが順次接続された循環路を形成し、前記汚泥処理炉を含む汚泥処理システム内の白煙防止空気熱交換器から一部の熱エネルギーを前記乾燥機用熱交換器に取り込み、該乾燥機用熱交換器が前記循環路内を流れる流体の温度を上昇させ、一部の前記脱水汚泥を前記乾燥機によって所望の含水率まで乾燥した前記乾燥汚泥を生成して前記混合機に送出することを特徴とする。
【００１４】
また、この発明にかかる汚泥混合投入装置は、上記の発明において、前記乾燥装置は、乾燥機と循環ブロワと乾燥機用熱交換器とが順次接続された循環路を形成するとともに、熱風発生炉を設け、前記熱風発生炉の排ガス熱エネルギーを前記乾燥機用熱交換器に取り込み、あるいは前記循環路上に直接取り込み、循環路内を流れる流体の温度を上昇させ、一部の前記脱水汚泥を前記乾燥機によって所望の含水率まで乾燥した乾燥汚泥を生成して前記混合機に送出することを特徴とする。
【００１５】
また、この発明にかかる汚泥混合投入装置は、上記の発明において、前記汚泥処理炉の廃ガス熱を利用した廃熱ボイラを設け、前記乾燥装置は、乾燥機と循環ブロワとが順次接続された循環路を形成するとともに、前記廃熱ボイラの発生蒸気エネルギーを前記乾燥機のジャケット内に取り込み、前記発生蒸気エネルギーを用いて前記乾燥機内の前記脱水汚泥を攪拌しながら間接加熱させて所望の含水率まで乾燥した乾燥汚泥を生成して前記混合機に送出することを特徴とする。
【発明の効果】
【００１６】
この発明によれば、混合機が乾燥汚泥の粒状状態を維持させて脱水汚泥に前記乾燥汚泥を分散混合して混合汚泥を生成し、圧送ポンプが前記混合汚泥を密閉状態で焼却炉若しくは熱分解炉などの汚泥処理炉に圧送するようにしているので、臭気漏洩防止と省エネルギー化とを図りつつ、汚泥を汚泥処理炉内に圧送することができる。
【図面の簡単な説明】
【００１７】
【図１】図１は、この発明の実施の形態にかかる混合投入装置を含む汚泥焼却炉システムの構成を示すブロック図である。
【図２】図２は、図１に示した混合投入装置の構成を示す模式図である。
【図３】図３は、汚泥焼却炉システムに流入する脱水汚泥から混合汚泥を生成して圧送する概要工程を示すフロー図である。
【図４】図４は、混合機によって混合された混合汚泥の状態を示す模式図である。
【図５】図５は、従来の混合汚泥の状態を示す模式図である。
【図６】図６は、乾燥機によって乾燥される乾燥汚泥の含水率の乾燥機出口温度依存性を示す図である。
【図７】図７は、乾燥装置の変形例１の構成を示すブロック図である。
【図８】図８は、乾燥装置の変形例２の構成を示すブロック図である。
【図９】図９は、乾燥装置の変形例３の構成を示すブロック図である。
【発明を実施するための形態】
【００１８】
以下、添付図面を参照してこの発明を実施するための形態について説明する。
【００１９】
図１は、この発明の実施の形態にかかる混合投入装置を含む汚泥焼却炉システムの構成を示すブロック図である。また、図２は、混合投入装置の構成を示す模式図である。この汚泥焼却炉システムは、汚泥焼却装置１と、乾燥装置２と、混合投入装置３とを有する。乾燥装置２と混合投入装置３とは、補助燃料を低減できる若しくは必要としない含水率をもつ混合汚泥を生成する。なお、この実施の形態では、汚泥処理炉の一例として焼却炉を有した汚泥焼却装置１を示して説明するが、汚泥処理炉は、焼却炉に限らず、熱分解炉を含む。
【００２０】
汚泥焼却装置１では、流入した混合汚泥を、補助燃料を削減若しくは用いずに、焼却炉１１で焼却する。この焼却炉１１は、流動焼却炉や循環焼却炉などの各種の焼却炉で実現される。焼却炉１１からの排ガスは、温室効果ガスを低減するため、約８５０℃の高温ガスとして流動空気熱交換器１２に入力される。
【００２１】
流動空気熱交換器１２を経由した排ガスは、５２０〜５５０℃に下がり、白煙防止空気熱交換器１３に流入する。白煙防止空気熱交換器１３は、白煙防止空気ファン１４によって供給される外部の常温空気と熱交換して、３００℃の白煙防止空気として、白煙防止を行う排ガス処理部１５に出力する。
【００２２】
排ガス処理部１５は、白煙防止空気熱交換器１３から流入した白煙防止空気を用いて白煙防止処理を行い、この白煙防止処理が施された排ガスを外部に出力する。
【００２３】
一方、乾燥装置２は、白煙防止空気熱交換器１３から得られた低温ガスを用いて、脱水汚泥を所望の含水率まで乾燥させる装置である。この乾燥装置２は、乾燥機用熱交換器２１、乾燥機２２、循環ブロア２３が順次接続された循環路を形成する。
【００２４】
乾燥機用熱交換器２１は、白煙防止空気熱交換器１３から流入した白煙防止空気から熱エネルギーをもらい、循環ブロア２３から供給される１８０〜２２０℃の循環ガスＡ２を約３００〜３５０℃の循環ガスＡ１に昇温させる。また、循環ガスＡ１に熱エネルギーを与えた排ガスは、３００℃に降温されて排ガス処理部１５に出力される。
【００２５】
乾燥機２２は、乾燥機用熱交換器２１側から流入する循環ガスＡ１を用いて、含水率７８〜８２％の脱水汚泥Ｃ２を乾燥させ、含水率３０％以下の乾燥汚泥Ｃ３を生成する。この乾燥機２２に流入した循環ガスＡ１は、乾燥のために熱エネルギーが奪われ、降温した１８０〜２２０℃の循環ガスＡ２として循環ブロア２３側に出力される。循環ブロア２３は、循環ガスＡ２を乾燥機用熱交換器２１側に出力するとともに、循環ガスＡ２の一部をスクラバー２６を介して冷却洗浄した乾燥ガスを焼却炉１１に出力する。
【００２６】
混合投入装置３は、図２に示すように、混合調整部４、混合機５、圧送ポンプ６を有する。混合機５は、入力される含水率７８〜８２％の脱水汚泥Ｃ１と乾燥機２２によって乾燥された含水率３０％以下で粒状の乾燥汚泥Ｃ３とを、乾燥汚泥Ｃ３の粒状状態を維持して混合し、含水率７７％の混合汚泥Ｃ４を生成する。この乾燥汚泥Ｃ３は、平均粒径が２〜５０ｍｍである。混合機５としては、例えば、水平に配置された２つのシャフトにパドルが取り付けられ、それぞれが反対方向に回転して対象物の混合と搬送とを同時に行う２軸式パドル混合機を用いている。一端の上部には、脱水汚泥Ｃ１が装入される装入管５ａおよび乾燥汚泥Ｃ３が装入される装入管５ｂを有し、他端の下部には、混合された混合汚泥Ｃ４が排出される排出管５ｃを有する。なお、脱水汚泥Ｃ１は、圧送ポンプで供給され、乾燥汚泥Ｃ３は、スクリューコンベアで供給される。
【００２７】
混合調整部４は、脱水汚泥Ｃ１の含水率および装入量を監視するとともに、乾燥汚泥Ｃ３の含水率を監視し、混合後の混合汚泥Ｃ４が含水率７７％となるように、乾燥汚泥Ｃ３の装入量を調整する。すなわち、混合調整部４は、脱水汚泥Ｃ１と乾燥汚泥Ｃ３との混合量を調整する。ここで、脱水汚泥Ｃ１の装入量が一定であり、乾燥汚泥Ｃ３の含水率が例えば３０％で一定である場合、混合調整部４は、脱水汚泥Ｃ１の含水率の変動に応じて、含水率が７７％となるように乾燥汚泥Ｃ３の装入量を決定する調整制御を行う。
【００２８】
圧送ポンプ６は、混合機５と焼却炉１１との間を密閉状態で結合された、ねじポンプである。したがって、混合汚泥Ｃ４の圧送は、密閉された状態で焼却炉１１に送り込まれるため、汚泥の臭気発散を抑えることができる。なお、圧送ポンプ６は、含水率７３〜７４％以上の混合汚泥を搬送することが可能である。また、圧送ポンプ６は、ねじポンプに限らず、ピストンポンプであってもよい。
【００２９】
ここで、図３に示すように、汚泥焼却炉システムに流入する脱水汚泥Ｃ０は、含水率７８〜８２％であり、その約８割は、脱水汚泥Ｃ１として混合機５に流入する。また、その約２割の脱水汚泥Ｃ２は、乾燥機２２に送られて、含水率３０％以下の乾燥汚泥Ｃ３として乾燥され、この乾燥汚泥Ｃ３は、混合機５に流入する。そして、混合機５は、含水率７８〜８２％の脱水汚泥Ｃ１と含水率３０％以下の乾燥汚泥Ｃ３とを、乾燥汚泥Ｃ３の粒状状態を維持して混合し、混合汚泥Ｃ４を生成する。圧送ポンプ６は、この混合汚泥Ｃ４を焼却炉１１に圧送する。この結果、焼却炉１１は、補助燃料を必要とせずに、混合汚泥Ｃ４を燃焼させることができる。すなわち、補助燃料を必要としない分、エネルギー効率を向上させることができる。
【００３０】
図４は、図２の混合機５によって生成される混合汚泥Ｃ４の混合状態を示す図である。図４に示すように、混合機５は、含水率７８〜８２％の脱水汚泥Ｃ１内に粒状（平均粒径２〜５０ｍｍ）の乾燥汚泥Ｃ３が分散した混合状態となっており、乾燥汚泥Ｃ３の粒状状態が維持されている。すなわち、脱水汚泥Ｃ１の水が乾燥汚泥Ｃ３に極度に染み込まない状態で分散混合される。この結果、圧送ポンプ６は、含水率７８〜８２％のケーキ汚泥の圧送とほぼ同じ配管抵抗（ポンプ配管内壁との間の摩擦抵抗）となり、この配管抵抗を減じるための水添加が不要となり、しかも、省エネルギー化を図ることができる。これは、乾燥汚泥Ｃ３の間隙に流動性の良い脱水汚泥が存在して潤滑剤として機能するからである。
【００３１】
これに対して、図５に示した従来の混合汚泥は、下水汚泥を脱水機で低含水脱水した脱水汚泥であり、含水率７７％となる一体の汚泥となっている。このため、圧送ポンプは、高い粘性流体の汚泥を、高い配管抵抗に抗して圧送せざるを得ず、高いエネルギーを必要とし、場合によっては圧送が困難となり、水の添加が必要となり、結果的に混合汚泥を焼却炉１１に供給することができない。なお、図４に示した混合汚泥Ｃ４は、焼却炉１１内では、図５に示した従来の混合汚泥と同様に安定燃焼する。
【００３２】
ここで、図１に示した乾燥機２２によって脱水汚泥Ｃ２を含水率３０％以下の所望の含水率に乾燥させる制御は、乾燥機用熱交換器２１に流入する白煙防止空気熱交換機１３からの低温ガスの熱エネルギーが変動するため、高い精度と安定性が要求される。一方、図６に示すように、乾燥汚泥ケーキＣ３の含水率変化は、乾燥機２２に流入する循環ガスの熱風温度の温度変化（Ｌ２）に比して、乾燥機２２の出口温度の温度変化（Ｌ１）の方が急峻である。この結果、たとえば、含水率３０％に制御する場合、乾燥機２２の出口温度を検出してフィードバック制御すると、迅速かつ安定して３０％の含水率に調整することができる。そこで、乾燥装置２の制御部Ｃは、乾燥機２２の出口に配置された温度センサー２７が検出した出口温度をもとに、乾燥汚泥ケーキＣ３が含水率３０％以下の所望の含水率となるように循環路内の熱交換量を制御する。
【００３３】
この実施の形態では、焼却炉１１若しくは熱分解炉などの汚泥処理炉内で燃焼される脱水汚泥Ｃ０の一部の脱水汚泥Ｃ２を乾燥機２２によって乾燥させ、該乾燥させた乾燥汚泥Ｃ３を脱水汚泥Ｃ１に、乾燥汚泥Ｃ３の粒状状態を維持させて混合させて補助燃料を低減できる若しくは必要としない混合汚泥Ｃ４を生成し、この混合汚泥Ｃ４を密閉状態の圧送ポンプ６で焼却炉１１若しくは熱分解炉などの汚泥処理炉に圧送するようにしたので、全体として高い粘性の自燃汚泥であるにもかかわらず、配管抵抗が脱水汚泥Ｃ０に近い値となり、圧送のための水添加が不要となり、圧送ポンプ６の動力エネルギーも少なくて済む。しかも、この混合汚泥は、焼却炉１１若しくは熱分解炉などの汚泥処理炉内での安定燃焼性が維持される。
【００３４】
また、白煙防止空気熱交換器１３から得られた熱エネルギーをそのまま白煙防止を行う排ガス処理部１５に供給せずに、排ガス処理部１５において白煙防止に必要なエネルギーは少量で済むことに着目し、汚泥焼却装置１に隣接配置される乾燥装置２が使用する熱風生成のエネルギーに利用し、残余のエネルギーを排ガス処理部１５が使用するエネルギーとして供給するようにしているので、汚泥焼却炉システム全体のエネルギー効率を向上させることができる。
【００３５】
さらに、焼却炉１１若しくは熱分解炉などの汚泥処理炉内に供給される混合汚泥Ｃ４は、焼却炉１１若しくは熱分解炉などの汚泥処理炉内には補助燃料１１が不要若しくは削減でき、汚泥焼却炉システム全体のエネルギー効率を高めることができるとともに、焼却炉１１若しくは熱分解炉などの汚泥処理炉は、８５０℃という高温焼却を行っているため、温室効果ガスの低減も達成できる。
【００３６】
また、制御部Ｃが、乾燥機２２の出口に配置された温度センサー２７が検出した出口温度をもとに、乾燥汚泥Ｃ３が含水率３０％以下の所望の含水率となるように循環路内の熱交換量を制御するようにしているので、乾燥機用熱交換器２１に流入する白煙防止空気熱交換機１３から白煙防止空気の熱エネルギーが変動しても、所望の含水率をもつ乾燥汚泥Ｃ３を安定かつ高い精度で得ることができる。
【００３７】
なお、上述した混合汚泥Ｃ４の含水率を７７％としたが、これは汚泥性状、及び焼却炉１１若しくは熱分解炉などの汚泥処理炉の設定状態によって変化するものであり、一例を示したものに過ぎない。
【００３８】
また、上述した実施の形態では、前記汚泥処理炉を含む汚泥処理システム（汚泥焼却装置１）内の白煙防止空気熱交換器から一部の熱エネルギーを乾燥機用熱交換器２１に取り込んで、循環路内を流れる流体の温度を上昇させていたが、これに限らず、例えば、焼却炉１１などの汚泥処理炉の廃ガス熱を利用した廃熱ボイラ１００の発生蒸気エネルギーで乾燥機２２を間接加熱して汚泥を乾燥してもよい。具体的には、図７に示すように、乾燥装置１０２の構成を乾燥機２２のみとし、乾燥機２２の周囲を環状に包むジャケット２２ａ内に、廃熱ボイラ１００が生成する蒸気Ａ１００を蒸気ヘッダなどを介してジャケット２２ａ内に流入させる。乾燥機２２は、乾燥機２２内に装入される脱水汚泥Ｃ２を攪拌しつつ、ジャケット２２ａ内に流入した蒸気熱で間接的に加熱し、乾燥させた乾燥汚泥Ｃ３として出力する。
【００３９】
また、図８に示すように、独立した熱風発生炉２００を別に設け、熱風発生炉２００の排ガス熱エネルギーを循環路上の乾燥機用熱交換器２１に取り込んで、循環路内を流れる流体の温度を上昇させ、乾燥機２２で脱水汚泥Ｃ２を乾燥させ、乾燥汚泥Ｃ３として出力する乾燥装置２０２としてもよい。
【００４０】
あるいは、図９に示すように、熱風発生炉２００を循環路上に直接配置し、循環路内を流れる流体の温度を直接上昇させ、乾燥機２２で脱水汚泥Ｃ２を乾燥させ、乾燥汚泥Ｃ３として出力する乾燥装置３０２としてもよい。
【符号の説明】
【００４１】
１  汚泥焼却装置
２，１０２，２０２，３０２  乾燥装置
３  混合投入装置
４  混合調整部
５  混合機
５ａ，５ｂ  装入管
５ｃ  排出管
６  圧送ポンプ
１１  焼却炉
１２  流動空気熱交換器
１３  白煙防止空気熱交換器
１４  白煙防止空気ファン
１５  排ガス処理部
２１  乾燥機用熱交換器
２２  乾燥機
２２ａ  ジャケット
２３  循環ブロア
２４  スクラバー
２７  温度センサー
１００  廃熱ボイラ
２００  熱風発生炉
Ｃ０，Ｃ１，Ｃ２  脱水汚泥
Ｃ３  乾燥汚泥
Ｃ４  混合汚泥
【図１】
2013217553.tif 000003
【図２】
2013217553.tif 000004
【図３】
2013217553.tif 000005
【図４】
2013217553.tif 000006
【図５】
2013217553.tif 000007
【図６】
2013217553.tif 000008
【図７】
2013217553.tif 000009
【図８】
2013217553.tif 000010
【図９】
2013217553.tif 000011